(57)【要約】【課題】本発明は映像表示装置に関するもので、ディスプレイに交互に表示される内容の操作が適切に行えるようにすることを目的とする。【解決手段】そして、この目的を達成するために本発明は、眼鏡８、９のそれぞれに自分が見ている内容を操作するための意思を表示装置７に伝達するための操作意思表示送信スイッチ２４を設けた。また、表示装置７には、眼鏡８、９の操作意思表示送信部２５からの送信を受信するための操作意思表示受信部２６を設けた。【選択図】図２
2012252292.tif 000002
【特許請求の範囲】
【請求項１】
表示装置と、この表示装置に対応させて設けた第１、第２の眼鏡とを備え、
前記表示装置は、ディスプレイと、このディスプレイに接続されるとともに、第１、第２の映像を交互に出力する画像出力部と、この画像出力部に接続された表示装置制御部と、この表示装置制御部に接続されるとともに、前記ディスプレイの表面部分に配置されたタッチパネルと、前記表示装置制御部に接続されるとともに、前記第１、第２の映像に同期する同期信号を前記第１、第２の眼鏡に送信する同期信号送信部とを有し、
前記第１、第２の眼鏡はそれぞれ、前記第１または第２の映像に同期させる同期信号を前記同期信号送信部から受信する同期信号受信部と、この同期信号受信部で受信した同期信号に基づいて開閉するシャッターと、このシャッターの開閉を前記第１または第２の映像に選択的に同期させる同期信号切換スイッチと、この同期信号切換スイッチ、前記同期信号受信部、前記シャッターに接続された眼鏡制御部と、この眼鏡制御部に接続された操作意思表示送信スイッチとを有し、前記表示装置には、前記操作意思表示送信スイッチの送信出力を受信する操作意思表示受信部を設けた映像表示装置。
【請求項２】
前記操作意思表示受信部には、操作意思表示が行われた第１または第２の映像中に表示された入力表示をタッチ有効メニューとするタッチ有効メニュー切換部を接続した請求項１に記載の映像表示装置。
【発明の詳細な説明】
【技術分野】
【０００１】
本発明は、例えば車載用の映像表示装置に関するものである。
【背景技術】
【０００２】
従来のこの種映像表示装置としては、例えば特許文献１に示すものが知られている。
すなわち、車内に設けた表示装置は、そのディスプレイに２種類の映像を同時に表示させ、運転者と同乗者がそれぞれ別の映像を見ることができるようになっている。
【先行技術文献】
【特許文献】
【０００３】
【特許文献１】特開２０００−１３７４４３号公報
【発明の概要】
【発明が解決しようとする課題】
【０００４】
前記映像表示装置における課題は、ディスプレイに表示された入力キーを操作することで適切な設定切換を行うことができないということであった。
【０００５】
例えば、運転者はディスプレイに表示されたカーナビ情報を見ており、また同乗者はＤＶＤ（登録商標）の映像を見ている状態において、ディスプレイに表示された入力キーを操作した場合、この入力がカーナビ情報の変更かＤＶＤの操作変更か判別することができず、その結果として適切な設定切換をすることができないのであった。
【０００６】
そこで本発明は、適切な設定切換を行うことができるようにすることを目的とするものである。
【課題を解決するための手段】
【０００７】
そして、この目的を達成するために、本発明は表示装置と、この表示装置に対応させて設けた第１、第２の眼鏡とを備え、前記表示装置は、ディスプレイと、このディスプレイに接続されるとともに、第１、第２の映像を交互に出力する画像出力部と、この画像出力部に接続された表示装置制御部と、この表示装置制御部に接続されるとともに、前記ディスプレイの表面部分に配置されたタッチパネルと、前記表示装置制御部に接続されるとともに、前記第１、第２の映像に同期する同期信号を前記第１、第２の眼鏡に送信する同期信号送信部とを有し、前記第１、第２の眼鏡はそれぞれ、前記第１または第２の映像に同期させる同期信号を前記同期信号送信部から受信する同期信号受信部と、この同期信号受信部で受信した同期信号に基づいて開閉するシャッターと、このシャッターの開閉を前記第１または第２の映像に選択的に同期させる同期信号切換スイッチと、この同期信号切換スイッチ、前記同期信号受信部、前記シャッターに接続された眼鏡制御部と、この眼鏡制御部に接続された操作意思表示送信スイッチとを有し、前記表示装置には、前記操作意思表示送信スイッチの送信出力を受信する操作意思表示受信部を設け、これにより所期の目的を達成するものである。
【発明の効果】
【０００８】
以上のように本発明は、表示装置と、この表示装置に対応させて設けた第１、第２の眼鏡とを備え、前記表示装置は、ディスプレイと、このディスプレイに接続されるとともに、第１、第２の映像を交互に出力する画像出力部と、この画像出力部に接続された表示装置制御部と、この表示装置制御部に接続されるとともに、前記ディスプレイの表面部分に配置されたタッチパネルと、前記表示装置制御部に接続されるとともに、前記第１、第２
の映像に同期する同期信号を前記第１、第２の眼鏡に送信する同期信号送信部とを有し、前記第１、第２の眼鏡はそれぞれ、前記第１または第２の映像に同期させる同期信号を前記同期信号送信部から受信する同期信号受信部と、この同期信号受信部で受信した同期信号に基づいて開閉するシャッターと、このシャッターの開閉を前記第１または第２の映像に選択的に同期させる同期信号切換スイッチと、この同期信号切換スイッチ、前記同期信号受信部、前記シャッターに接続された眼鏡制御部と、この眼鏡制御部に接続された操作意思表示送信スイッチとを有し、前記表示装置には、前記操作意思表示送信スイッチの送信出力を受信する操作意思表示受信部を設けたものであるので、適切な設定切換を行うことができる。
【０００９】
すなわち、本発明においては、第１、第２の眼鏡に操作意思表示送信スイッチを設けるとともに表示装置には、操作意思表示受信部を設けたものであるので、第１または第２の眼鏡を装着した使用者が自らが装着している第１または第２の眼鏡の操作意思表示送信スイッチを操作すれば、その操作意思は表示装置の操作意思表示受信部で受信され、その結果として、表示装置はそのディスプレイのタッチパネルに設けた操作キーをその意思に基づくものとして作用させることができ、これにより適切な設定切換を行うことができるのである。
【図面の簡単な説明】
【００１０】
【図１】本発明の実施形態にかかる映像表示装置を搭載した車両の断面図
【図２】同映像表示装置の斜視図
【図３】同映像表示装置の制御ブロック図
【図４】同映像表示装置のディスプレイを示す正面図
【図５】同映像表示装置のディスプレイを示す正面図
【図６】同映像表示装置の動作状態を示すフローチャート
【発明を実施するための形態】
【００１１】
（実施の形態）
図１において、１は車両本体を示し、その室内２の前方にはハンドル３、前席４が配置され、また室内２の後方には後席５が配置されている。室内２の前席４と後席５の間の上方には映像表示装置６が設置されている。
【００１２】
この映像表示装置６は、図２に示すごとく表示装置７と、この表示装置７に対応させて設けた第１、第２の眼鏡８、９とを備えている。
【００１３】
前記映像表示装置６は、ディスプレイ１０と、このディスプレイ１０に接続されるとともに、図４に示す第１の映像と、図５に示す第２の映像を交互に出力する図３に示す画像出力部１１と、この画像出力部１１に接続された表示装置制御部１２と、この表示装置制御部１２に接続されるとともに、前記ディスプレイ１０の表面部分に配置されたタッチパネル１３と、このタッチパネル１３と表示装置制御部１２を接続した入力部１４と、前記表示装置制御部１２に接続されるとともに、前記第１の映像に同期する同期信号を前記第１、第２の眼鏡８、９に送信する同期信号送信部１５と、前記第２の映像に同期する同期信号を前記第１、第２の眼鏡８、９に送信する同期信号送信部１６とを有している。
【００１４】
また、表示装置制御部１２には、光ディスクドライブ１７と音声出力部１８が接続され、音声出力部１８にはスピーカ１９が接続されている。
【００１５】
一方、前記第１、第２の眼鏡８、９にはそれぞれ、前記第１または第２の映像に同期させる同期信号を前記同期信号送信部１５、１６から受信する同期信号受信部２０と、この同期信号受信部２０で受信した同期信号に基づいて開閉するシャッター２１と、このシャ
ッター２１の開閉を前記第１または第２の映像に選択的に同期させる同期信号切換スイッチ２２と、この同期信号切換スイッチ２２、前記同期信号受信部２０、前記シャッター２１に接続された眼鏡制御部２３と、この眼鏡制御部２３に接続された操作意思表示送信スイッチ２４および操作意思表示送信部２５とを有する。
また、前記表示装置７には、前記操作意思表示送信スイッチ２４による操作意思表示を、送信した操作意思表示送信部２５からの送信出力を受信する操作意思表示受信部２６を設け、この操作意思表示受信部２６には、操作意思表示が行われた第１または第２の映像中に表示された入力表示をタッチ有効メニューとするタッチ有効メニュー切換部２７を接続している。
【００１６】
以上の構成において、図１に示す後席５には２人の同乗者がおり、一方が眼鏡８を装着して図４に示す内容を見ており、他方は眼鏡９を装着して図５に示す内容を見ている状態について以下説明を続ける。
【００１７】
まず、ディスプレイ１０には、画像出力部１１により図４に示す音楽の再生を示す内容と、図５に示すテレビジョン放送を示す内容とが交互に出力されている。したがって、眼鏡８を装着した同乗者および眼鏡９を装着した同乗者は、それぞれの眼鏡８または９に設けた同期信号切換スイッチ２２を操作することで、図４または図５に示す内容を見るように設定する。
【００１８】
すなわち、同期信号切換スイッチ２２を一回押せば、図４に示す内容がディスプレイ１０に表示されているときにシャッター２１が開放し、また、図５に示す内容がディスプレイ１０に表示されているときにシャッター２１は閉成され、これにより図４に示す内容が見れるようになる。
【００１９】
同じように、同期信号切換スイッチ２２を二回押せば、図５に示す内容がディスプレイ１０に表示されているときにシャッター２１が開放し、また、図４に示す内容がディスプレイ１０に表示されているときにシャッター２１は閉成され、これにより図５に示す内容が見れるようになる。
【００２０】
再び、同期信号切換スイッチ２２を押せば、図４に示す内容が見れるようになる。つまり、図４に示す内容と図５に示す内容を連続的に切り換えることができるようになっている（図６のＳ１〜Ｓ３）。
【００２１】
この実施形態では、眼鏡８を装着した同乗者は今図４に示す内容を見ており、また、眼鏡９を装着した同乗者は今図５に示す内容を見ている。
【００２２】
ここで、眼鏡８を装着した同乗者が図４に示すディスプレイ１０中に表示された操作キー２８を操作しようとする場合、まずは、この眼鏡８に設けられた操作意思表示送信スイッチ２４を押す（図６のＳ４）。すると、この眼鏡８に設けられた操作意思表示送信部２５からこの意思表示が表示装置７の操作意思表示受信部２６に伝達され、これにより、タッチ有効メニュー切換部２７が、ディスプレイ１０の図４に示す画面に対応するタッチパネル１３の入力を有効にする（図６のＳ５〜Ｓ７）。
【００２３】
図４に示すごとく、このディスプレイ１０に表示された内容中には複数の操作キー２８が表示されているので、その部分に指を触れればこの指が触れた操作キー２８に対応する操作が実行される。
【００２４】
この図４の例では、曲を跳ばすものであるので、次の曲が再生されることになる（Ｓ８、Ｓ９）。
【００２５】
このとき、図４に示す操作キー２８に対応する図５に示す内容中には、操作キーが存在していないが、この図５に対応する操作キーが存在していたとしても上述のごとく本実施形態では、操作意思表示送信スイッチ２４を操作することで、図４に示す内容を操作することを表示装置７の表示装置制御部１２にあらかじめ伝達しているので、図５に示す内容が操作されることはない。
【００２６】
同様に、眼鏡９を装着した同乗者は、今自分が見ている図５に示す内容を操作しようとする場合には、この眼鏡９に設けた操作意思表示送信スイッチ２４を操作することから上述した図４の操作と同じ動作を行えば、この図５に示す内容の操作を実行することができる。
【産業上の利用可能性】
【００２７】
以上のように、本発明においては、第１、第２の眼鏡に操作意思表示送信スイッチを設けるとともに表示装置には、操作意思表示受信部を設けたものであるので、第１または第２の眼鏡を装着した使用者が自らが装着している第１または第２の眼鏡の操作意思表示送信スイッチを操作すれば、その操作意思は表示装置の操作意思表示受信部で受信され、その結果として、表示装置はそのディスプレイのタッチパネルに設けた操作キーをその意思に基づくものとして作用させることができ、これにより適切な設定切換を行うことができるのである。
【００２８】
したがって、車載用などの映像表示装置としての活用が期待されるものとなる。
【符号の説明】
【００２９】
１  車両本体
２  室内
３  ハンドル
４  前席
５  後席
６  映像表示装置
７  表示装置
８・９  眼鏡
１０  ディスプレイ
１１  画像出力部
１２  表示装置制御部
１３  タッチパネル
１４  入力部
１５  同期信号送信部
１６  同期信号送信部
１７  光ディスクドライブ
１８  音声出力部
１９  スピーカ
２０  同期信号受信部
２１  シャッター
２２  同期信号切換スイッチ
２３  眼鏡制御部
２４  操作意思表示送信スイッチ
２５  操作意思表示送信部
２６  操作意思表示受信部
２７  タッチ有効メニュー切換部
２８  操作キー
【図１】
2012252292.tif 000003
【図２】
2012252292.tif 000004
【図３】
2012252292.tif 000005
【図４】
2012252292.tif 000006
【図５】
2012252292.tif 000007
【図６】
2012252292.tif 000008